(57)【要約】【課題】リード端子と外部端子とを確実に溶接するとともに、リード端子間の絶縁性を向上することのできる内燃機関用点火装置を提供すること。【解決手段】一次コイル及び二次コイルと、その二つのコイルを磁気的に結合させる積層鉄心と、前記一次コイルに流れる電流をＯＮ−ＯＦＦ制御し、二次コイル側に高圧電流を発生させるパワースイッチと、これらを収納する絶縁ケースとから成る内燃機関用点火装置であって、前記パワースイッチのリード端子先端部の端子間距離を広く変形加工したので、リード端子と外部端子とを確実に溶接するとともに、リード端子間の絶縁性を向上して、生産性を向上することができる。【選択図】図１
2008014176.tif 000002
【特許請求の範囲】
【請求項１】
一次コイル及び二次コイルと、その二つのコイルを磁気的に結合させる積層鉄心と、前記一次コイルに流れる電流をＯＮ−ＯＦＦ制御し、二次コイル側に高圧電流を発生させるパワースイッチと、これらを収納する絶縁ケースとから成る内燃機関用点火装置において、
前記パワースイッチのリード端子先端部の端子間距離を広く変形加工したことを特徴とする内燃機関用点火装置。
【請求項２】
前記パワースイッチのリード端子は、三次元的に湾曲していることを特徴とする請求項１に記載の内燃機関用点火装置。
【請求項３】
前記パワースイッチのリード端子は、溶接によって外部との電気的接続が達成されることを特徴とする請求項１または２に記載の内燃機関用点火装置。
【請求項４】
前記パワースイッチのリード端子は、それぞれ段差部を有することを特徴とする請求項１〜３の何れか１に記載の内燃機関用点火装置。
【請求項５】
前記リード端子先端部の端子間距離は、少なくとも３ｍｍ以上であることを特徴とする請求項１〜４の何れか１に記載の内燃機関用点火装置。
【請求項６】
一次コイル及び二次コイルと、その二つのコイルを磁気的に結合させる積層鉄心と、前記一次コイルに流れる電流をＯＮ−ＯＦＦ制御し、二次コイル側に高圧電流を発生させるパワースイッチと、これらを収納する絶縁ケースとから成る内燃機関用点火装置の組立て方法において、
前記パワースイッチのリード端子先端部の端子間距離を広く変形加工した後に組み付けることを特徴とする内燃機関用点火装置の組立て方法。
【発明の詳細な説明】
【技術分野】
【０００１】
本発明は、例えば自動車等のエンジンの点火プラグに火花放電を発生させるための内燃機関用点火装置に関する。
【背景技術】
【０００２】
従来の内燃機関用点火装置において、例えば、図４に示すように汎用パッケージサイズのパワースイッチ１は、外部端子と電気的接続をとるためにはんだ付け作業を行っており、そのリード端子２の幅や端子間隔の寸法は決められている。また、パワースイッチ１のリード端子を接続する手段として、凸形状の突起を設けたリード端子と外部接続端子を電極で挟み、加圧しながら電極から突起に集中して電流を流すことにより、端子同士を溶接するプロジェクション溶接が行われている。
【発明の開示】
【発明が解決しようとする課題】
【０００３】
しかし、このような構成の従来のパワースイッチ１を外部と電気的に接続するために、はんだ付けやプロジェクション溶接を行った場合に、端子間距離が約２．５ｍｍと近くなり、絶縁性に問題が生じていた。また、リード端子より幅の広い外部端子と接続した場合、端子間距離が更に近くなり絶縁性に問題が生じていた。また、端子間距離が狭く、電極で挟み難い形状であるため、溶接作業の安定化や複数の端子を同時に溶接できないという問題が有り、生産性の向上が図れなかった。
【０００４】
この発明は、上記に鑑み提案されたもので、パワースイッチのリード端子先端の間隔を広くすることにより絶縁性を向上させ、生産性を向上できる内燃機関用点火装置を提供することを目的とするものである。
【課題を解決するための手段】
【０００５】
上記目的を達成する為に、本発明の内燃機関用点火装置は、一次コイル及び二次コイルと、その二つのコイルを磁気的に結合させる積層鉄心と、前記一次コイルに流れる電流をＯＮ−ＯＦＦ制御し、二次コイル側に高圧電流を発生させるパワースイッチと、これらを収納する絶縁ケースとから成る内燃機関用点火装置であって、前記パワースイッチのリード端子先端部の端子間距離を広く変形加工したことを特徴としている。
【０００６】
また、本発明において、前記パワースイッチのリード端子は、三次元的に湾曲していることを特徴とする。
【０００７】
また、本発明において、前記パワースイッチのリード端子は、溶接によって外部との電気的接続が達成されることを特徴とする。
【０００８】
また、本発明において、前記パワースイッチのリード端子は、それぞれ段差部を有することを特徴とする。
【０００９】
また、本発明において、前記リード端子先端部の端子間距離は、少なくとも３ｍｍ以上であることを特徴とする。
【００１０】
また、本発明は一次コイル及び二次コイルと、その二つのコイルを磁気的に結合させる積層鉄心と、前記一次コイルに流れる電流をＯＮ−ＯＦＦ制御し、二次コイル側に高圧電流を発生させるパワースイッチと、これらを収納する絶縁ケースとから成る内燃機関用点火装置の組立て方法において、前記パワースイッチのリード端子先端部の端子間距離を広く変形加工した後に組み付けることを特徴とする。
【発明の効果】
【００１１】
この発明は上記した構成からなるので、以下に説明するような効果を奏することができる。
【００１２】
本発明では、一次コイル及び二次コイルと、その二つのコイルを磁気的に結合させる積層鉄心と、前記一次コイルに流れる電流をＯＮ−ＯＦＦ制御し、二次コイル側に高圧電流を発生させるパワースイッチと、これらを収納する絶縁ケースとから成る内燃機関用点火装置において、前記パワースイッチのリード端子先端部の端子間距離を広く変形加工したので、リード端子間の絶縁性を確保して、溶接工程の安定化を図ることができる。また、生産性の向上を図ることができる。
【００１３】
また、本発明において前記パワースイッチのリード端子は、三次元的に湾曲しているので、リード端子と外部端子との溶接を確実に行うことができる。また、リード端子間の絶縁性を向上することができる。
【００１４】
また、本発明において前記パワースイッチのリード端子は、溶接によって外部との電気的接続が達成されるので、リード端子と外部端子とを確実に接続することができる。
【００１５】
また、本発明において前記パワースイッチのリード端子は、それぞれ段差部を有するので、リード端子と外部端子とを接続する溶接作業を容易に行うことができる。
【００１６】
また、本発明において前記リード端子先端部の端子間距離は、少なくとも３ｍｍ以上であるので、リード端子と外部端子とをプロジェクション溶接等によって確実に溶着できるとともに、リード端子間の絶縁性を向上することができる。また、絶縁不良を引き起こす虞れがない。
【００１７】
また、本発明において、一次コイル及び二次コイルと、その二つのコイルを磁気的に結合させる積層鉄心と、前記一次コイルに流れる電流をＯＮ−ＯＦＦ制御し、二次コイル側に高圧電流を発生させるパワースイッチと、これらを収納する絶縁ケースとから成る内燃機関用点火装置の組立て方法において、前記パワースイッチのリード端子先端部の端子間距離を広く変形加工した後に組み付けるので、パワースイッチのリード端子と外部端子とをより確実に接続するとともに、リード端子間の絶縁性を向上して、生産性を向上することができる。
【発明を実施するための最良の形態】
【００１８】
内燃機関用点火装置において、パワースイッチのリード端子先端部の端子間距離を広く変形加工することにより、リード端子間の絶縁性を確保して、溶接工程の安定化を図るという目的が達成できる。また、生産性の向上を図ることができる。
【実施例】
【００１９】
以下、一実施の形態を示す図面に基づいて本発明を詳細に説明する。図１は本発明に係る内燃機関用点火装置の概要を示す縦断面図、図２は本発明の内燃機関用点火装置に使用されるパワースイッチを示す正面図、図３は本発明のパワースイッチの加工後を示す側面図である。ここで、内燃機関用点火装置１０は、一次コイル１１及び二次コイル１２と、その二つのコイルを磁気的に結合させる積層鉄心１３と、前記一次コイル１１に流れる電流をＯＮ−ＯＦＦ制御し、二次コイル側に高圧電流を発生させるパワースイッチ１４と、これらを収納する絶縁ケース１５とから成る内燃機関用点火装置であって、このパワースイッチ１４のリード端子１６の端子間距離Ｈを広く変形加工したものである。
【００２０】
リード端子１６の端子間距離Ｈは、少なくとも３ｍｍ以上になるように、例えば、図２、３に示す如く、三次元的に湾曲して構成する。本実施の形態では、図２に示すように３本あるリード端子１６の内、中央のリード端子１６ａは、紙面に対して垂直方向に曲げられて形成されている。また、左右のリード端子１６ｂ、１６ｃは、紙面に対して垂直方向に曲げられるとともに、中央のリード端子１６ａからそれぞれ離隔する方向に曲げられている。更に、図３に示すように、リード端子１６の円で囲った部分Ａを段差部に形成する。つまり、リード端子１６をパワースイッチ１４の長手方向に対して、一旦直角に曲げた後、再度長手方向に平行に曲げて、段差部を形成する。また、リード端子１６の先端近傍には、凸状に形成された小突起１７がそれぞれ形成されている。パワースイッチ１４は、汎用型のパワートランジスタを使用することができ、例えば、ＴＯ−２２０型、ＴＯ−２５１型、ＴＯ−１２６型、ＭＰ−１０型、ＴＯ−３Ｐ型等のパッケージを有したパワートランジスタに適用することができる。
【００２１】
以上のように構成した場合、各リード端子１６ａ〜１６ｃが三次元的に湾曲されて、リード端子先端の端子間距離Ｈを広く形成することができる。したがって、リード端子と外部接続端子を電極で挟んで小突起１７を溶融し、プロジェクション溶接する際に、端子幅が広いので、溶接作業を容易に行うことができる。
【００２２】
次に、内燃機関用点火装置の組立て方法について説明する。
本実施の形態は、一次コイル１１及び二次コイル１２と、その二つのコイルを磁気的に結合させる積層鉄心１３と、前記一次コイルに流れる電流をＯＮ−ＯＦＦ制御し、二次コイル側に高圧電流を発生させるパワースイッチ１４と、これらを収納する絶縁ケース１５とから成る内燃機関用点火装置の組立て方法であって、このパワースイッチ１４のリード端子先端部の端子間距離Ｈを広く変形加工した後にリード端子１６と外部接続端子とを電極で挟んで加圧しながら小突起１７に集中して電流を流すことにより、端子同士を溶接する。この際、リード端子の先端間隔が広いので、リード端子と外部接続端子を電極で挟む作業が容易である。したがって、作業性が増して生産性を向上することができる。また、端子間距離を大きくとることができ、充分な絶縁性を確保できる。
【００２３】
なお、本発明は上述の実施例に限定されることなく、特許請求の範囲の記載に基づいて種々の設計変更が可能である。
【図面の簡単な説明】
【００２４】
【図１】図１は、本発明に係る内燃機関用点火装置の概要を示す縦断面図である。
【図２】図２は、同内燃機関用点火装置に使用されるパワースイッチを示す正面図である。
【図３】図３は、同パワースイッチの加工後を示す側面図である。
【図４】図４は、従来のパワースイッチの一例を示す正面図である。
【符号の説明】
【００２５】
１０      内燃機関用点火装置
１１      一次コイル
１２      二次コイル
１３      積層鉄心
１４      パワースイッチ
１５      絶縁ケース
１６      リード端子
１７      小突起
【図１】
2008014176.tif 000003
【図２】
2008014176.tif 000004
【図３】
2008014176.tif 000005
【図４】
2008014176.tif 000006